(57)【要約】      （修正有）【課題】構成可能な生体電位アレイを使用して生理的データを収集するための方法を提供する。【解決手段】生体電位電極アレイ５０５ｂは、モバイルデバイス１１５ｆの表面エリア上に埋め込まれる。生体電位電極アレイ５０５ｂはいくつかの電極タイルを含む。電極は、ユーザの生理的データを収集するためのバイオセンサーを含む。電極は、ユーザの皮膚との接触を検出するためにポーリングされる。皮膚と接触している電極は、活性電極エリアを形成するために電気的に結合される。結合された電極は、バイオセンサーを介してユーザに関係する生理的データを収集する。ユーザの皮膚との接触が終了した後、電極は分離される。生理的データが分析され、分析されたデータからユーザの感情状態または健康状態が判断される。【選択図】図８
2015165905.tif 000002
【特許請求の範囲】
【請求項１】
動的に構成可能な生体電位電極アレイを使用して生理的データを収集するための方法であって、
前記生体電位電極アレイの少なくとも２つの隣接する電極タイルとユーザの皮膚との間の接触を検出することと、
前記生体電位電極アレイ内に第１の活性電極エリアを形成するために、接触を検出したことに基づいて、前記少なくとも２つの隣接する電極タイルを電気的に結合することと、
前記第１の活性電極エリアの前記結合された電極タイルを介して前記ユーザに関連する生理的データを収集することとを備える方法。
【請求項２】
前記少なくとも２つの隣接する電極タイルと前記ユーザの前記皮膚との間の前記接触が維持されているかどうかを検出するために、前記第１の活性電極エリア内で前記少なくとも２つの電気的に結合された電極タイルをポーリングすることをさらに備える、請求項１に記載の方法。
【請求項３】
前記ユーザの前記皮膚と前記少なくとも２つの隣接する電極タイルとの間の接触が終了した後に、前記少なくとも２つの隣接する電極タイルを分離することをさらに備える、請求項２に記載の方法。
【請求項４】
前記生体電位電極アレイの複数の結合されない電極タイルのうちの結合されない電極タイルと、前記ユーザの前記皮膚との間の接触を検出するために、前記複数の結合されない電極タイルをポーリングすることをさらに備える、請求項１に記載の方法。
【請求項５】
前記生体電位電極アレイ内に第２の活性電極エリアを形成するために、接触を検出したことに基づいて、少なくとも２つの隣接する電極タイルを電気的に結合することと、
前記第２の活性電極エリアの前記結合された電極タイルを介して前記ユーザに関連する生理的データを収集することとをさらに備える、請求項４に記載の方法。
【請求項６】
前記第１の活性電極エリアと前記第２の活性電極エリアとが前記生体電位電極アレイ内に非現在的に存在する、請求項５に記載の方法。
【請求項７】
前記生体電位電極アレイ内に最小数の活性電極エリアが存在するかどうかを判断することと、
前記最小数の活性電極エリアが存在するという前記判断に基づいて前記ユーザに関連する生理的データを収集することとをさらに備える、請求項１に記載の方法。
【請求項８】
前記生体電位電極アレイ内で複数の活性電極エリアを検出することと、
前記複数の活性電極エリアの各々に関連する信号品質を比較することと、
信号品質の前記比較に基づいて生理的データを収集するために前記複数の活性電極エリアのうちの少なくとも１つを選択することとをさらに備える、請求項１に記載の方法。
【請求項９】
前記少なくとも２つの電極タイルが、前記生理的データを収集するための１つまたは複数のバイオセンサーを備える、請求項１に記載の方法。
【請求項１０】
前記１つまたは複数のバイオセンサーが心電図（ＥＣＧ）センサーまたは電気皮膚反応（ＧＳＲ）センサーを備える、請求項９に記載の方法。
【請求項１１】
前記ユーザに関連する前記収集された生理的データを分析することと、
前記収集された生理的データの前記分析に基づいて前記ユーザの状態を判断することとをさらに備える、請求項１に記載の方法。
【請求項１２】
前記生体電位電極アレイがハンドヘルド電子デバイスの表面エリア上に埋め込まれた、請求項１に記載の方法。
【請求項１３】
動的に構成可能な生体電位電極アレイを使用して生理的データを収集するように構成された通信デバイスであって、
前記生体電位電極アレイと、
前記生体電位アレイの少なくとも２つの隣接する電極タイルとユーザの皮膚との間の接触を検出するように構成された検出モジュールと、
前記生体電位電極エリア内に第１の活性電極エリアを形成するために、接触を検出したことに基づいて、前記少なくとも２つの隣接する電極タイルを電気的に結合するように構成された結合モジュールと、
前記第１の活性電極エリアの前記結合された電極タイルを介して前記ユーザに関連する生理的データを収集するように構成された収集モジュールとを備える通信デバイス。
【請求項１４】
前記少なくとも２つの隣接する電極タイルと前記ユーザの前記皮膚との間の前記接触が維持されているかどうかを検出するために、前記第１の活性電極エリア内で前記少なくとも２つの電気的に結合された電極タイルをポーリングするように構成されたポーリングモジュールをさらに備える、請求項１３に記載の通信デバイス。
【請求項１５】
前記結合モジュールは、前記ユーザの前記皮膚と前記少なくとも２つの隣接する電極タイルとの間の接触が終了した後に、前記少なくとも２つの隣接する電極タイルを分離するようにさらに構成された、請求項１４に記載の通信デバイス。
【請求項１６】
前記ポーリングモジュールが、前記生体電位電極アレイの複数の結合されない電極タイルのうちの結合されない電極タイルと、前記ユーザの前記皮膚との間の接触を検出するために、前記複数の結合されない電極タイルをポーリングするようにさらに構成された、請求項１３に記載の通信デバイス。
【請求項１７】
前記結合モジュールが、前記生体電位電極アレイ内に第２の活性電極エリアを形成するために、接触を検出したことに基づいて、少なくとも２つの隣接する電極タイルを電気的に結合するようにさらに構成され、
前記収集モジュールが、前記第２の活性電極エリアの前記結合された電極タイルを介して前記ユーザに関連する生理的データを収集するようにさらに構成された、請求項１６に記載の通信デバイス。
【請求項１８】
前記第１の活性電極エリアと前記第２の活性電極エリアとが前記生体電位電極アレイ内に非現在的に存在する、請求項１７に記載の通信デバイス。
【請求項１９】
前記収集モジュールは、前記生体電位電極アレイ内に最小数の活性電極エリアが存在するかどうかを判断するようにさらに構成され、
前記収集モジュールは、前記最小数の活性電極エリアが存在するという前記判断に基づいて前記ユーザに関連する生理的データを収集するようにさらに構成された、請求項１３に記載の通信デバイス。
【請求項２０】
比較モジュールと選択モジュールとをさらに備え、
前記検出モジュールが、前記生体電位電極アレイ内で複数の活性電極エリアを検出するようにさらに構成され、
前記比較モジュールが、前記複数の活性電極エリアの各々に関連する信号品質を比較するように構成され、
前記選択モジュールが、信号品質の前記比較に基づいて生理的データを収集するために前記複数の活性電極エリアのうちの少なくとも１つを選択するように構成された、請求項１３に記載の通信デバイス。
【請求項２１】
前記少なくとも２つの電極タイルが、前記生理的データを収集するための１つまたは複数のバイオセンサーを備える、請求項１３に記載の通信デバイス。
【請求項２２】
前記１つまたは複数のバイオセンサーが心電図（ＥＣＧ）センサーまたは電気皮膚反応（ＧＳＲ）センサーを備える、請求項２１に記載の通信デバイス。
【請求項２３】
分析モジュールと状態モジュールとをさらに備え、
前記分析モジュールが、前記ユーザに関連する前記収集された生理的データを分析するように構成され、
前記状態モジュールが、前記収集された生理的データの前記分析に基づいて前記ユーザの状態を判断するように構成された、請求項１３に記載の通信デバイス。
【請求項２４】
前記生体電位電極アレイが前記通信デバイスの表面エリア上に埋め込まれた、請求項１３に記載の通信デバイス。
【請求項２５】
動的に構成可能な生体電位電極アレイを使用して生理的データを収集するように構成されたシステムであって、
前記生体電位電極アレイの少なくとも２つの隣接する電極タイルとユーザの皮膚との間の接触を検出するための手段と、
前記生体電位電極アレイ内に第１の活性電極エリアを形成するために、接触を検出したことに基づいて、前記少なくとも２つの隣接する電極タイルを電気的に結合するための手段と、
前記第１の活性電極エリアの前記結合された電極タイルを介して前記ユーザに関連する生理的データを収集するための手段とを備えるシステム。
【請求項２６】
前記少なくとも２つの隣接する電極タイルと前記ユーザの前記皮膚との間の前記接触が維持されているかどうかを検出するために、前記第１の活性電極エリア内で前記少なくとも２つの電気的に結合された電極タイルをポーリングするための手段をさらに備える、請求項２５に記載のシステム。
【請求項２７】
前記ユーザの前記皮膚と前記少なくとも２つの隣接する電極タイルとの間の接触が終了した後に、前記少なくとも２つの隣接する電極タイルを分離するための手段をさらに備える、請求項２６に記載のシステム。
【請求項２８】
前記生体電位電極アレイの複数の結合されない電極タイルのうちの結合されない電極タイルと、前記ユーザの前記皮膚との間の接触を検出するために、前記複数の結合されない電極タイルをポーリングするための手段をさらに備える、請求項２５に記載のシステム。
【請求項２９】
前記生体電位電極アレイ内に第２の活性電極エリアを形成するために、接触を検出したことに基づいて、少なくとも２つの隣接する電極タイルを電気的に結合するための手段と、
前記第２の活性電極エリアの前記結合された電極タイルを介して前記ユーザに関連する生理的データを収集するための手段とをさらに備える、請求項２８に記載のシステム。
【請求項３０】
前記第１の活性電極エリアと前記第２の活性電極エリアとが前記生体電位電極アレイ内に非現在的に存在する、請求項２９に記載のシステム。
【請求項３１】
前記生体電位電極アレイ内に最小数の活性電極エリアが存在するかどうかを判断するための手段と、
前記最小数の活性電極エリアが存在するという前記判断に基づいて前記ユーザに関連する生理的データを収集するための手段とをさらに備える、請求項２５に記載のシステム。
【請求項３２】
前記生体電位電極アレイ内で複数の活性電極エリアを検出するための手段と、
前記複数の活性電極エリアの各々に関連する信号品質を比較するための手段と、
信号品質の前記比較に基づいて生理的データを収集するために前記複数の活性電極エリアのうちの少なくとも１つを選択するための手段とをさらに備える、請求項２５に記載のシステム。
【請求項３３】
前記少なくとも２つの電極タイルが、前記生理的データを収集するための１つまたは複数のバイオセンサーを備える、請求項２５に記載のシステム。
【請求項３４】
前記１つまたは複数のバイオセンサーが心電図（ＥＣＧ）センサーまたは電気皮膚反応（ＧＳＲ）センサーを備える、請求項３３に記載のシステム。
【請求項３５】
前記ユーザに関連する前記収集された生理的データを分析するための手段と、
前記収集された生理的データの前記分析に基づいて前記ユーザの状態を判断するための手段とをさらに備える、請求項２５に記載のシステム。
【請求項３６】
動的に構成可能な生体電位電極アレイを使用して生理的データを収集するように構成されたコンピュータプログラム製品であって、前記製品が非一時的コンピュータ可読媒体を備え、前記媒体が、
前記生体電位電極アレイの少なくとも２つの隣接する電極タイルとユーザの皮膚との間の接触を検出するためのコードと、
前記生体電位電極アレイ内に第１の活性電極エリアを形成するために、接触を検出したことに基づいて、前記少なくとも２つの隣接する電極タイルを電気的に結合するためのコードと、
前記第１の活性電極エリアの前記結合された電極タイルを介して前記ユーザに関連する生理的データを収集するためのコードとを備える、コンピュータプログラム製品。
【請求項３７】
前記媒体は、
前記少なくとも２つの隣接する電極タイルと前記ユーザの前記皮膚との間の前記接触が維持されているかどうかを検出するために、前記第１の活性電極エリア内で前記少なくとも２つの電気的に結合された電極タイルをポーリングするためのコードをさらに備える、請求項３６に記載のコンピュータプログラム製品。
【請求項３８】
前記ユーザの前記皮膚と前記少なくとも２つの隣接する電極タイルとの間の接触が終了した後に、前記少なくとも２つの隣接する電極タイルを分離するためのコードをさらに備える、請求項３７に記載のコンピュータプログラム製品。
【発明の詳細な説明】
【背景技術】
【０００１】
[0001]ワイヤレス通信システムは、音声、データなど、様々なタイプの電子通信コンテンツを提供するために広く展開されている。電子形態の通信（たとえば、電子メール、テキストメッセージ、ボイスメール、通話）は、人々が便利に他人と交信し、対話することを可能にしたが、電子通信の豊かさは減じられた。
【０００２】
[0002]電子通信は、それらだけでは、概して、送信者の十分な感情状態を伝達しない。たとえば、調査は、所与のメッセージ中の感情コンテキストの７％が言葉（たとえば、電子通信の文面）によって伝達されることを示唆している。感情コンテキストの別の３８％は、声のトーンによって声で伝達される。最後の５５％は、顔の表情および他のボディジェスチャーなど、非言語的コミュニケーションを使用して表される（Ｍｅｈｒａｂｉａｎ，Ａｌｂｅｒｔ、Ｆｅｒｒｉｓ，Ｓｕｓａｎ  Ｒ．（１９６７）、「Ｉｎｆｅｒｅｎｃｅ
ｏｆ  Ａｔｔｉｔｕｄｅｓ  ｆｒｏｍ  Ｎｏｎｖｅｒｂａｌ  Ｃｏｍｍｕｎｉｃａｔｉｏｎ  ｉｎ  Ｔｗｏ  Ｃｈａｎｎｅｌｓ」、Ｊｏｕｒｎａｌ  ｏｆ  Ｃｏｎｓｕｌｔｉｎｇ  Ｐｓｙｃｈｏｌｏｇｙ  ３１（３）：２４８〜２５２）。電子通信に関して、送信者の感情コンテキストまたは感情状態は、通常、受信者によって誤解される。
【０００３】
[0003]人間の体から生理的データ（physiological data）を収集するために、バイオセンサーをもつ生体電位電極（biopotential electrode）が使用され得る。生理的データは、人の感情状態を判断するために使用され得る。さらに、バイオセンサーは、人の身体的健康を監視するために使用され得る。バイオセンサーは、生物学的反応を電気信号に変換し得る。一般に、バイオセンサーを含むこれらの電極は標準の形状およびサイズ（たとえば、８ｍｍ平円板）である。生物学的反応から生成される電気信号は比較的小さい。したがって、少量の雑音でさえ電気信号に著しく干渉し得る。これにより、人の判断された感情的または生理的状態が不正確または不明になり得る。
【０００４】
[0004]表面エリアが大きい生体電位電極は、バイオセンサーによって生成された電気信号との干渉を引き起こし得る雑音の量を増加させ得る。一方、表面エリアが小さすぎる生体電位電極は、生理的データに関連する電気信号の読取りを実行不可能にし得る。
【発明の概要】
【０００５】
[0005]構成可能な生体電位アレイを使用して生理的データを収集するための方法、システム、およびデバイスについて説明する。一例では、アレイは、ハンドヘルドデバイスの外部表面エリア上に埋め込まれる。アレイは、ユーザの生理的データを収集するためのバイオセンサーに関連するいくつかの電極タイルを含み得る。電極は、電極がユーザの皮膚と接触しているかどうかを検出するためにポーリングされ得る。皮膚と接触している電極は、活性電極エリアを形成するために電気的に結合される。結合された電極に関連するバイオセンサーは、ユーザに関係する生理的データを収集し得る。結合された電極は、ユーザの皮膚との接触が維持されるかどうかを検出するために連続的にポーリングされ得る。さらに、アレイ中の分離された電極は、接触を検出するために連続的にポーリングされる。結合された電極は、ユーザの皮膚との接触が終了した後に分離され得る。収集された生理的データは分析され得、分析されたデータからユーザの状態が判断され得る。
【０００６】
[0006]一構成では、アレイ中の分離された電極タイルは、第２の活性電極エリアを形成するために、接触を検出したことに基づいて電気的に結合され得る。第２の活性電極エリアの結合された電極タイルを介してユーザに関連する生理的データが収集され得る。一例では、第１の活性電極エリアと第２の活性電極エリアとが生体電位電極アレイ内に非現在的に存在し得る。
【０００７】
[0007]一構成では、生体電位電極アレイ内に最小数の活性電極エリアが存在するかどうかに関する判断が行われ得る。最小数の活性電極エリアが存在するという判断に基づいて、ユーザに関連する生理的データが収集され得る。
【０００８】
[0008]一例では、生体電位電極アレイ内で複数の活性電極エリアが検出され得る。複数の活性電極エリアの各々に関連する信号品質が比較され得る。信号品質の比較に基づいて生理的データを収集するために複数の活性電極エリアのうちの少なくとも１つが選択され得る。
【０００９】
[0009]電極タイルに関連するバイオセンサーは、心電図センサー（ＥＣＧ：electrocardiogram）または電気皮膚反応（ＧＳＲ：galvanic skin response）センサーを含み得る。
【００１０】
[0010]また、動的に構成可能な生体電位電極アレイを使用して生理的データを収集するように構成された通信デバイスについて説明する。本デバイスは、生体電位電極アレイと、生体電位アレイの少なくとも２つの隣接する電極タイルとユーザの皮膚との間の接触を検出するように構成された検出モジュールとを含み得る。本デバイスは、接触を検出したことに基づいて、少なくとも２つの隣接する電極タイルを電気的に結合するように構成された結合モジュールをさらに含み得る。結合された電極タイルは、生体電位電極エリア内で第１の活性電極エリアを形成し得る。本デバイスはまた、第１の活性電極エリアの結合された電極タイルを介してユーザに関連する生理的データを収集するように構成された収集モジュールを含み得る。
【００１１】
[0011]また、動的に構成可能な生体電位電極アレイを使用して生理的データを収集するように構成されたシステムについて説明する。本システムは、生体電位電極アレイの少なくとも２つの隣接する電極タイルとユーザの皮膚との間の接触を検出するための手段を含み得る。本システムは、接触を検出したことに基づいて、少なくとも２つの隣接する電極タイルを電気的に結合するための手段をさらに含み得る。結合された電極タイルは、生体電位電極アレイ内で第１の活性電極エリアを形成し得る。本システムは、第１の活性電極エリアの結合された電極タイルを介してユーザに関連する生理的データを収集するための手段をさらに含み得る。
【００１２】
[0012]また、動的に構成可能な生体電位電極アレイを使用して生理的データを収集するように構成されたコンピュータプログラム製品について説明する。本製品は非一時的コンピュータ可読媒体を含み得る。媒体は、生体電位電極アレイの少なくとも２つの隣接する電極タイルとユーザの皮膚との間の接触を検出するためのコードを含み得る。媒体は、接触を検出したことに基づいて、少なくとも２つの隣接する電極タイルを電気的に結合するためのコードをさらに含み得る。結合された電極タイルは、生体電位電極アレイ内で第１の活性電極エリアを形成し得る。媒体はまた、第１の活性電極エリアの結合された電極タイルを介してユーザに関連する生理的データを収集するためのコードを含み得る。
【００１３】
[0013]以下の図面を参照すれば、本発明の性質のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１４】
【図１】[0014]ワイヤレス通信システムのブロック図。
【図２】[0015]モバイルデバイスの一例を示すブロック図。
【図３】[0016]モバイルデバイスの別の例を示すブロック図。
【図４】[0017]モバイルデバイスのさらなる例を示すブロック図。
【図５】[0018]生体電位電極アレイがデバイスの表面エリア上に埋め込まれたモバイルデバイスの一例を示すブロック図。
【図６】[0019]モバイルデバイスの表面エリア上に埋め込まれた電極タイルを含む生体電位アレイの別の例を示すブロック図。
【図７】[0020]電極タイルの一例を示す図。
【図８】[0021]いくつかの活性電極エリアをもつ生体電位電極アレイを示すブロック図。
【図９】[0022]動的に構成可能な生体電位電極アレイを使用して生理的データを収集するための方法の一例を示すフローチャート。
【図１０】[0023]構成可能な生体電位電極アレイ内で少なくとも２つの電極タイルの電気的結合を維持すべきかどうかを判断するための方法の一例を示すフローチャート。
【図１１】[0024]ユーザの皮膚と少なくとも２つの電極との間の接触を検出するために動的に構成可能な生体電位電極アレイの電極タイルをポーリングするための方法の一例を示すフローチャート。
【発明を実施するための形態】
【００１５】
[0025]構成可能な生体電位電極アレイについて説明する。アレイは、ユーザに関する生理的データを収集するために使用され得る。一例では、アレイは、ハンドヘルド電子通信デバイスなど、デバイスの表面エリア上に埋め込まれ得る。アレイは、いくつかの電極タイル（「電極」とも呼ばれる）を含み得る。電極は、デバイスのユーザの生理的データを収集するバイオセンサーを含み得る。一構成では、電極（およびそれらの関連するバイオセンサー）は、電極とユーザの皮膚との間の接触が検出されたとき、データの収集を開始するために活性化され得る。電極とユーザの皮膚との間の接触が終了した後、電極は不活性化され得る。不活性化された電極は生理的データを収集し得ない。
【００１６】
[0026]いくつかの活性化電極の連続エリアが単一の電極として機能し得る。連続エリアは活性電極エリア（ＡＥＡ：active electrode area）と呼ばれることがある。ＡＥＡ内の電極はユーザの生理的データを収集し得る。アレイは、アレイに沿った異なる位置に位置する１つまたは複数のＡＥＡを含み得る。たとえば、ユーザの皮膚は、（第１のＡＥＡを形成する）電極の第１のグループ、および（第２のＡＥＡを形成する）電極の別個の第２のグループと接触していることがあり得る。第１のＡＥＡと第２のＡＥＡとは、アレイに沿って互いに隣接していないことがある。さらに、第１のＡＥＡと第２のＡＥＡとは生体電位電極アレイ内に同時にまたは非現在的に存在し得る。
【００１７】
[0027]一構成では、アレイの電極がユーザの皮膚と接触しているかどうかを判断するために、または、接触がすでに存在する場合は、ユーザの皮膚と電極との間の接触が維持されているかどうかを判断するために、アレイの電極がルーチン的にポーリングされ得る。電極のバイオセンサーによって収集された生理的データは、ユーザの感情状態またはユーザの健康状況を判断するために分析され得る。
【００１８】
[0028]したがって、以下の説明は、例を与えるものであり、特許請求の範囲において記載される範囲、適用性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００１９】
[0029]最初に図１を参照すると、ブロック図に、ワイヤレス通信システム１００の一例が示されている。システム１００は、基地局１０５（またはセル）と、モバイルデバイス１１５と、基地局コントローラ１２０と、コアネットワーク１２５とを含む（コントローラ１２０はコアネットワーク１２５に組み込まれ得る）。システム１００は、複数のキャリア（異なる周波数の波形信号）上での動作をサポートし得る。
【００２０】
[0030]基地局１０５は、基地局アンテナ（図示せず）を介してモバイルデバイス１１５とワイヤレス通信し得る。基地局１０５は、複数のキャリアを介して基地局コントローラ１２０の制御下でモバイルデバイス１１５と通信し得る。基地局１０５サイトの各々は、それぞれの地理的エリアに通信カバレージを与え得る。各基地局１０５のためのカバレージエリアは、ここでは、１１０ａ、１１０ｂ、または１１０ｃとして識別される。基地局のためのカバレージエリアは、（図示されていないが、カバレージエリアの一部分のみを構成する）セクタに分割され得る。システム１００は、異なるタイプの基地局１０５（たとえば、マクロ基地局、マイクロ基地局、および／またはピコ基地局）を含み得る。異なる技術のための重複するカバレージエリアがあり得る。
【００２１】
[0031]モバイルデバイス１１５はカバレージエリア１１０全体にわたって分散され得る。モバイルデバイス１１５は、移動局、モバイルデバイス、アクセス端末（ＡＴ）、ユーザ機器（ＵＥ）、加入者局（ＳＳ）、または加入者ユニットと呼ばれることがある。モバイルデバイス１１５は、セルラーフォンとワイヤレス通信デバイスとを含み得るが、携帯情報端末（ＰＤＡ）、他のハンドヘルドデバイス、ネットブック、ノートブックコンピュータなどをも含み得る。
【００２２】
[0032]基地局１０５は、モバイルデバイス１１５のユーザが互いに通信することを可能にし得る。たとえば、モバイルデバイス１１５は、別のモバイルデバイスに電子通信（たとえば、電子メール、テキストメッセージ、ボイスメールメッセージなど）を送り得る。異なるモバイルデバイス１１５のユーザはまた、それらのそれぞれのデバイスを使用してリアルタイム会話（すなわち、通話）に関与し得る。モバイルデバイス１１５はそれぞれ、電極タイルの構成可能な生体電位アレイを含み得る。電極タイルは、異なる構成で、異なる形状でアレイ中に配置され得る。アレイは、デバイス１１５の表面エリアに沿って埋め込まれ得る。ユーザに関連する生理的データを収集するために、電極とともにバイオセンサーが組み込まれ得る。ユーザの皮膚と接触している電極は、データの収集を開始するために活性化され得る。たとえば、ユーザがモバイルデバイス１１５を自分の手に保持すると、ユーザの手、指などの皮膚と接触している電極が活性化され得る。ユーザの皮膚との接触が終了した後、活性化された電極は不活性化され得る。たとえば、ユーザが、デバイス１１５を把持している位置を変更すると、現在活性化されている電極は不活性化され得、現在不活性化されている電極は活性化され得る。本明細書で説明する電極タイルの構成可能な生体電位アレイは、他のタイプのシステム中のデバイス上でも実装され得る。
【００２３】
[0033]図２は、モバイルデバイス１１５ａの一例を示すブロック図である。モバイルデバイス１１５ａは、図１のモバイルデバイス１１５の一例であり得る。一構成では、モバイルデバイス１１５ａは、受信機２０５と、検出モジュール２１０と、結合モジュール２１５と、収集モジュールと、送信機２２５とを含み得る。受信機２０５は、基地局１０５または他のモバイルデバイス１１５など、他のデバイスから信号および電子通信を受信し得る。受信機２０５はまた、デバイス１１５ａのユーザの皮膚とデバイス１１５ａの表面エリアとの間の可能な接触に関係する信号を受信し得る。一例では、検出モジュール２１０は、ユーザの皮膚とデバイス１１５ａの特定の表面エリアとの間に接触が存在するかどうかを判断するために、可能な接触に関係する信号を分析し得る。たとえば、検出モジュール２１０は、ユーザの皮膚と、デバイス１１５の表面エリア上に埋め込まれた生体電位電極アレイの部分との間の接触を検出し得る。言い換えれば、検出モジュール２１０は、ユーザの皮膚と、少なくとも２つ以上の電極タイルとの間の接触を検出し得る。
【００２４】
[0034]結合モジュール２１５は、ユーザの皮膚と接触していることが検出された電極タイルを互いに結合し得る。たとえば、各電極は、隣接する電極に電子スイッチを用いて接続され得る。スイッチの一例としては電界効果トランジスタ（ＦＥＴ）があり得る。特定の電極タイルと少なくとも１つの隣接する電極タイルとが皮膚と接触するようになったとき、これらの２つの電極間の電子スイッチは、皮膚の導電性特性により閉じられ、したがって、電極間に閉回路が作成され得る。閉回路は電極を活性化し得る。皮膚と接触していない電極間の電子スイッチは閉じられず、開回路が残り得る。これらは不活性電極と呼ばれることがある。
【００２５】
[0035]収集モジュール２２０は、活性化された電極から集められたデータを収集し得る。たとえば、モジュール２２０は、ユーザに関連する生理的データを収集し得る。このデータは、電極タイルとともに組み込まれたバイオセンサーを介して集められ得る。その結果、活性である電極はデータを収集し得るが、不活性電極は、ユーザの生理的データを収集することに関与し得ない。本明細書で説明する生体電位アレイアーキテクチャの構成は、不活性である（ユーザの皮膚と接触していない）電極がデータをアクティブに収集していないので、電気的雑音を最小限に抑え得る。
【００２６】
[0036]次に図３を参照すると、ブロック図に、モバイルデバイス１１５ｂの別の例が示されている。モバイルデバイス１１５ｂは、図１または図２のモバイルデバイスの一例であり得る。デバイス１１５ｂは、前に説明したように、受信機２０５と送信機２２５とを含み得る。モバイルデバイス１１５ｂはまた、検出モジュール２１０ａと、結合モジュール２１５ａと、収集モジュール２２０ａと、比較モジュール３０５と、選択モジュール３１０とを含み得る。検出モジュール２１０ａは、デバイス１１５ｂの外部部分上に埋め込まれた電極タイルの第１のグループと、デバイス１１５ｂのユーザの皮膚との間の接触を検出し得る。結合モジュール２１５ａは、検出モジュール２１０ａが接触を検出したことに基づいて、電極タイルの第１のグループを電気的に結合し得る。一構成では、結合された電極タイルの第１のグループは第１のＡＥＡを形成し得る。一例では、検出モジュール２１０ａは、ユーザの皮膚と電極タイルの第２のグループとの間の接触を検出し得る。結合モジュール２１５ａはまた、第２のＡＥＡを形成するために電極の第２のグループを電気的に結合し得る。第１のＡＥＡと第２のＡＥＡと中の電極の各々は、デバイス１１５ｂのユーザに関するデータの収集を開始し得るバイオセンサーを含み得る。一例では、ＡＥＡの数は、データを収集するために必要とされるＡＥＡの最小数を超え得る。比較モジュール３０５は、各ＡＥＡに関連する信号品質メトリックを比較し得る。たとえば、比較モジュール３０５は、各ＡＥＡにおいてユーザの皮膚から検出された電気信号の品質を比較し得る。選択モジュール３１０は、各ＡＥＡの信号品質メトリックの比較に基づいてどのＡＥＡからデータを受信すべきかを選択し得る。信号品質メトリックの例としては、限定はしないが、信号対雑音比（ＳＮＲ）があり得る。
【００２７】
[0037]図４は、モバイルデバイス１１５ｃのさらなる一例を示すブロック図である。モバイルデバイス１１５ｃは、図１、図２、または図３のモバイルデバイス１１５の一例であり得る。デバイス１１５ｃは、上述のように、受信機２０５と送信機２２５とを含み得る。モバイルデバイス１１５ｃはまた、検出モジュール２１０ｂと、結合モジュール２１５ｂと、収集モジュール２２０ｂと、ポーリングモジュール４０５と、分析モジュール４１０と、状態モジュール４１５とを含み得る。一例では、検出モジュール２１０ｂが電極とユーザの皮膚との間の接触を検出したとき、結合モジュール２１５ｂは電極タイルを電気的に結合し得る。
【００２８】
[0038]一構成では、ポーリングモジュール４０５は、ユーザの皮膚との接触が維持されているかどうかを判断するために、結合された電極をルーチン的にポーリングし得る。ポーリングモジュール４０５の一例は電気皮膚反応（ＧＳＲ）センサーであり得る。皮膚が電極に接触したとき、皮膚の導電性特性により、接触した電極間の電流は０よりも大きくなり得る。その結果、ポーリングモジュール４０５は、隣接する電極間の電流の流れをポーリングし得る。２つのポーリングされた電極間の電流の流れが０である場合、検出モジュール２１０ｂは、ユーザの皮膚との接触がもはや存在しないことを検出し得る。ユーザの皮膚との接触が終了した後、結合モジュール２１５ｂは電極を分離し得る。ポーリングモジュール４０５はまた、ユーザの皮膚との接触が存在し得るかどうかを判断するために、前に分離された電極間の電流の流れをポーリングし得る。少なくとも２つの隣接する電極間の電流の流れが０よりも大きい場合、検出モジュール２１０ｂは、これらの前に分離された電極とユーザの皮膚との間の接触を検出し得る。結合モジュール２２０ｂは、次いで、これらの電極を電気的に結合し得る。
【００２９】
[0039]結合された電極がユーザの皮膚と接触したままである間、収集モジュール２２０ｂは、それらの電極に関連するバイオセンサーを介してユーザの生理的データを収集し得る。分析モジュール４１０は、収集された生理的データを分析し得る。一構成では、状態モジュール４１５は、分析に基づいてユーザの状態を判断し得る。たとえば、状態モジュール４１５は、分析された生理的データに基づいてユーザの感情状態（たとえば、幸せな、興奮した、悲しい、怒った）を判断し得る。状態モジュール４１５はまた、人の身体的健康を判断するために生理的データを使用し得る。ユーザの判断された状態を示すインジケータが電子通信（たとえば、通話、テキストメッセージ、電子メール、ボイスメールなど）に関連付けられ得る。送信機２２５は、電子通信とインジケータとを受信側デバイスに送信し得る。一構成では、送信機２２５は、人の健康を監視するために使用されるアプリケーションにインジケータを送信し得る。（医師、看護師、または他のヘルスケア提供者などの）受信者は、人の身体的健康を監視するためのアプリケーションを介してインジケータにアクセスし得る。
【００３０】
[0040]次に図５を参照すると、ブロック図５００に、生体電位電極アレイ５０５ａがモバイルデバイス１１５ｄの表面エリア上に埋め込まれたモバイルデバイス１１５ｄの一例が示されている。一構成では、モバイルデバイス１１５ｄは、図１、図２、図３、または図４のモバイルデバイス１１５の一例であり得る。デバイス１１５ｄはいくつかの表面エリアを含み得る。たとえば、側部表面エリア５１０、ディスプレイ表面エリア、および下部表面エリア５２０である。アレイ５０５ａは、この例では側部表面エリア５１０上に埋め込まれ得る。ただし、アレイ５０５ａはモバイルデバイス１１５ｄの他の表面エリア上に埋め込まれ得ることを理解されたい。一例では、生体電位アレイ５０５ａはいくつかの電極タイル５０５ａ１〜５０５ａｎを含み得る。各電極５０５ａ１〜５０５ａｎはバイオセンサーを含み得る。バイオセンサーの例としては、心電図（ＥＣＧ）センサー、電気皮膚反応（ＧＳＲ）センサー、および他の生体電位センサーがあり得る。図示のように、電極タイル５０５ａ１〜５０５ａｎは形状が矩形であり得る。各電極間に間隔が存在し得る。人間の皮膚との接触により隣接する電極間で流れる電流が検出されたとき、電極間の電子スイッチが閉じられて閉回路が作成され得る。閉回路は、それらの電極が生理的データを収集することを可能にし得るが、開回路状態である（人間の皮膚と接触していない）電極はデータを収集することに関与し得ない。
【００３１】
[0041]図６は、モバイルデバイス１１５ｅの表面エリア上に埋め込まれた電極タイル５０５ｂ１〜５０５ｂｎを含む生体電位アレイ５０５ｂの別の例を示すブロック図６００である。モバイルデバイス１１５ｅは、図１、図２、図３、または図４のモバイルデバイス１１５の一例であり得る。一例では、デバイス１１５ｅは、側部表面エリア５１０と、ディスプレイ表面エリア５１５と、下部表面エリア５２０とを含み得る。生体電位アレイ５０５ｂは、この例では側部表面エリア５１０に沿って埋め込まれ得る。電極タイル５０５ｂ１〜５０５ｂｎは形状が六角形であり得る。図示のように、隣接する電極間に間隔が存在し得ない。各電極は、ユーザに関する情報を収集するためのバイオセンサーを含み得る。バイオセンサーは、それらのそれぞれの電極がユーザの皮膚と接触したとき、データを収集し始め得る。
【００３２】
[0042]次に図７を参照すると、電極タイル５０５ｂ１、５０５ｂ２、５０５ｂ３の収集７００が示されている。電極タイルは図５または図６の電極の例であり得る。一例では、電子スイッチ７０５ａ１、７０５ａ２、および７０５ａ３が、各隣接する電極タイル間に存在し得る。ユーザの皮膚が少なくとも２つの隣接する電極に接触したとき、少なくとも２つの隣接する電極間の電流の流れにより、少なくとも２つの電極間の電子スイッチが閉じられ得る。少なくとも２つの電極に関連するバイオセンサーは、ユーザに関連する生理的データを収集し始め得る。たとえば、ユーザは、第１の電極タイル５０５ｂ１と、第２の電極タイル５０５ｂ２とにタッチし得る。ユーザの皮膚との接触が検出されたとき、電極は、それらの間の電子スイッチ７０５ａ２を閉じることによって電気的に結合され得る。スイッチが閉じられると、第１の電極５０５ｂ１と第２の電極５０５ｂ２とに関連するバイオセンサーは、ユーザに関するデータを収集し得る。電極と皮膚との間の接触が終了したとき、スイッチ７０５ａ２は開かれ得る（電極が分離される）。
【００３３】
[0043]図８は、いくつかのＡＥＡ８０５ａ１、８０５ａ２をもつモバイルデバイス１１５ｆ上に埋め込まれた生体電位電極アレイ５０５ｂを示すブロック図８００である。モバイルデバイス１１５ｆは、図１、図２、図３、図４、図５、または図６のモバイルデバイス１１５の一例であり得る。一構成では、デバイス１１５ｆはいくつかの表面エリアを含み得る。たとえば、デバイスは、ディスプレイ表面エリア５１５と、下部表面エリア５２０と、側部表面エリア５１０とを含み得る。一例では、アレイ５０５ｂは、モバイルデバイス１１５ｆの側部表面エリア５１０上に埋め込まれ得る。アレイ５０５ｂは、側部表面エリア５１０に加えて、または側部表面エリア５１０の代わりに、デバイスの他の表面エリア上に埋め込まれ得ることを理解されたい。
【００３４】
[0044]一構成では、アレイ５０５ｂは、第１のＡＥＡ８０５ａ１と第２のＡＥＡ８０５ａ２とを含み得る。各ＡＥＡは、電気的に結合された少なくとも２つの電極タイルを含み得る。言い換えれば、各ＡＥＡは、ユーザの皮膚と接触している電極タイルを含み得る。デバイス１１５ｆのユーザの把持が側部表面エリア５１０に沿ってシフトすると、一方または両方のＡＥＡの位置も変化し得る。たとえば、第１の時間期間において、ユーザは、自分の皮膚が第１のＡＥＡ８０５ａ１と第２のＡＥＡ８０５ａ２とにおいて電極と接触しているようにデバイス１１５ｆを保持していることがある。これらのＡＥＡ中の電極タイルは、それらが活性化されている（すなわち、ユーザの皮膚と接触している）間、ユーザに関連する生理的データを収集し得る。第２の時間期間において、ユーザは、デバイス１１５ｆの自分の把持の位置を変更し得る。その結果、ユーザは、もはや第１のＡＥＡ８０５ａ１中の電極と接触していないことがある。これらの電極は不活性化され得、第１のＡＥＡ８０５ａ１は存在しなくなり得る。ユーザが第２のＡＥＡ８０５ａ２にタッチし続けている場合、生理的データは、アレイ５０５ｂのこの部分の電極を介して第２の時間期間中に依然として収集され得る。ユーザがアレイ５０５ｂの以前にタッチされていない部分を把持した場合、この部分における電極が結合され得、新しいＡＥＡが形成され得る。
【００３５】
[0045]この例に示すように、ＡＥＡは動的に変更され得る。たとえば、ユーザがモバイルデバイス１１５ｆの側部表面エリア５１０上で自分の把持をシフトすると、ＡＥＡの位置および数も変化し得る。ポーリングモジュール４０５は、どの連続エリアが活性のままであるか、およびアレイ５０５ｂのどの不活性エリアが活性化されるべきであるかを判断するために、隣接する電極間の電流の流れを連続的にポーリングし得る。このアーキテクチャは、ユーザがデバイス１１５ｆ上で自分の把持を調整している間、（皮膚の少なくとも一部分がアレイ５０５ｂに接触している限り）生理的データの収集が行われることを可能にする。
【００３６】
[0046]次に図９を参照すると、動的に構成可能な生体電位電極アレイを使用して生理的データを収集するための方法９００の一例を示すフローチャートが与えられている。方法９００は、図１、図２、図３、図４、図５、図６、または図８のモバイルデバイス１１５などのモバイルデバイスによって実装され得る。一構成では、方法９００は、図２の検出モジュール２１０と、結合モジュール２１５と、収集モジュール２２０とによって実装され得る。
【００３７】
[0047]一例では、生体電位電極アレイは、モバイルデバイス１１５の表面エリア上に埋め込まれ得る。アレイはいくつかの電極タイルを含み得る。各電極は、生理学的情報など、ユーザに関する情報を収集するためのバイオセンサーに関連付けられ得る。ブロック９０５において、生体電位電極アレイの少なくとも２つの隣接する電極タイルとユーザの皮膚との間の接触を検出する。ブロック９１０において、接触が検出されたとき、少なくとも２つの隣接する電極を電気的に結合する。たとえば、ユーザが少なくとも２つの隣接する電極にタッチしたとき、それらの電極間の電子スイッチが閉じられ得る。電気的に結合された電極は第１のＡＥＡを形成し得る。ブロック９１５において、第１のＡＥＡ中の結合された電極タイルを介してユーザに関連する生理的データを収集する。生体電位電極アレイ中の分離された電極は、ユーザに関連する生理的データの収集に関与し得ない。
【００３８】
[0048]したがって、方法９００は、モバイルデバイス１１５上に埋め込まれた動的に構成可能な生体電位電極アレイを使用して生理的データを収集することを提供し得る。方法９００は一実装形態にすぎないこと、および方法９００の動作は、他の実装形態が可能であるように、並べ替えられるかまたは場合によっては変更され得ることに留意されたい。
【００３９】
[0049]図１０は、構成可能な生体電位電極アレイ内で少なくとも２つの電極タイルの電気的結合を維持すべきかどうかを判断するための方法１０００の一例である。方法１０００は、図１、図２、図３、図４、図５、図６、または図８のモバイルデバイス１１５などのモバイルデバイスによって実装され得る。一構成では、方法１０００は、図４の検出モジュール２１０ｂと、結合モジュール２１５ｂと、収集モジュール２２０ｂと、ポーリングモジュール４０５とによって実装され得る。
【００４０】
[0050]一例では、（いくつかの電極タイルを含む）生体電位電極アレイは、モバイルデバイス１１５の外部部分上に含まれ得る。ブロック１００５において、少なくとも２つの隣接する電極タイルとユーザの皮膚との間の接触を検出する。ブロック１０１０において、接触が検出されたとき、少なくとも２つの隣接する電極タイルを結合する。結合された電極は第１のＡＥＡを形成し得る。一構成では、ブロック１０１５において、ユーザの皮膚と電極との間の接触が維持されているかどうかに関する判断が行われる。たとえば、ポーリングモジュール４０５は、電極間の電流の流れが０よりも大きいかどうかを判断するために、結合された電極をポーリングし得る。接触が維持されている（すなわち、電流の流れが０よりも大きい）と判断された場合、ブロック１０２０において、第１のＡＥＡの結合された電極タイルによって生理的データを収集する。電極は、データを収集するためのバイオセンサーを含み得る。方法１０００は、次いで、結合された電極をポーリングし続けることによって、接触が持続しているかどうかを判断することに戻り得る。しかしながら、接触が終了したと判断された場合、ブロック１０２５において、少なくとも２つの隣接する電極タイルを分離する。分離された電極は、ユーザに関連する生理的データを収集しなくなり得る。方法１０００は、次いで戻って、隣接する電極がユーザの皮膚と接触しているかどうかを検出し続け得る。
【００４１】
[0051]したがって、方法１０００は、電極タイルとユーザの皮膚との間の接触が維持されているかどうかを判断し得る。方法１０００は一実装形態にすぎないこと、および方法１０００の動作は、他の実装形態が可能であるように、並べ替えられるかまたは場合によっては変更され得ることに留意されたい。
【００４２】
[0052]次に図１１を参照すると、フローチャートに、ユーザの皮膚と少なくとも２つの電極との間の接触を検出するために、動的に構成可能な生体電位電極アレイの電極タイルをポーリングするための方法１１００の一例が示されている。方法１１００は、図１、図２、図３、図４、図５、図６、または図８のモバイルデバイス１１５などのモバイルデバイスによって実装され得る。一構成では、方法１１００は、図４の検出モジュール２１０ｂと、結合モジュール２１５ｂと、収集モジュール２２０ｂと、ポーリングモジュール４０５と、分析モジュール４１０と、状態モジュール４１５とによって実装され得る。
【００４３】
[0053]ブロック１１０５において、生体電位電極アレイのいくつかの電極タイルをポーリングする。たとえば、流れが０よりも大きいかどうかを判断するために、隣接する電極間の電流の流れをポーリングし得る。一構成では、アレイは、モバイルデバイス１１５の外部表面エリア上に埋め込まれ得る。ブロック１１１０において、電極タイルとモバイルデバイス１１５のユーザの皮膚との間の接触を検出する。ブロック１１１５において、最小数の電極が皮膚と接触しているかどうかに関する判断が行われ得る。最小数の電極がユーザの皮膚と接触していないと判断された場合、方法１１００は、戻って、接触を検出するために電極タイルをポーリングし続け得る。しかしながら、最小数の電極が皮膚と接触していると判断された場合、ブロック１１２０において、ＡＥＡを形成するために、皮膚と接触している電極タイルを電気的に結合する。
【００４４】
[0054]ブロック１１２５において、最小数のＡＥＡが存在するかどうかに関する判断が行われ得る。たとえば、最小数のＡＥＡからいくつかのタイプの生理的データが収集され得る。一例として、ＧＳＲデータを収集するために、少なくとも２つのＡＥＡが使用され得、心電図データを収集するために少なくとも３つのＡＥＡが使用され得る。所望の生理的データを収集するための最小数のＡＥＡが存在しないと判断された場合、方法１１００は、接触を検出するためにアレイ内の電極をポーリングすることに戻り得る。しかしながら、最小数のＡＥＡが存在すると判断された場合、ブロック１１３０において、ＡＥＡの電極を介して生理的データを収集する。データが収集されている間、ポーリングモジュール４０５は、現在結合されている電極間の接触が維持されているかどうかを検出するために、ならびに皮膚と以前に分離された電極との間の接触が検出されたかどうかを検出するために、リアルタイムで電極をポーリングし続け得る。
【００４５】
[0055]ブロック１１３５において、収集されたデータを分析する。ブロック１１４０において、分析に基づいてユーザの状態を判断する。たとえば、分析された生理的データに基づいて、ユーザの感情状態、身体的健康の状態などを判断し得る。方法１１００は、戻って、最小数のＡＥＡが依然として存在するかどうかを判断し得る。ＡＥＡが維持されている場合、ＡＥＡ中の電極に関連するバイオセンサーを介して生理的データが収集され続け得る。
【００４６】
[0056]したがって、方法１１００は、ユーザの皮膚と電極タイルとの間の接触を検出するために、動的に構成可能な生体電位電極アレイの電極タイルをポーリングし得る。方法１１００は一実装形態にすぎないこと、および方法１１００の動作は、他の実装形態が可能であるように、並べ替えられるかまたは場合によっては変更され得ることに留意されたい。
【００４７】
[0057]上記で説明によって与えたように、電極タイルの生体電位アレイは、モバイルデバイス１１５の外部表面エリア上に埋め込まれ得る。電極は、モバイルデバイス１１５のユーザに関係する生理的データを収集するために使用されるバイオセンサーに関連付けられ得る。電極がユーザの皮膚に接触するまで電極は互いに分離され得る。分離された電極は、デバイス１１５のユーザに関連する生理的データを収集するために活性化され得ない。接触が検出されたとき、隣接する電極間の電子スイッチが閉じ、したがって、皮膚と接触している電極が電気的に結合され得る。これらの結合された電極に関連するバイオセンサーは、次いで、ユーザに関する生理的データを収集し始め得る。ユーザがモバイルデバイス１１５の把持を変更し、アレイの異なる部分にタッチすると、結合された電極は、皮膚との接触が持続していない場合、分離され得る。以前に分離され、今では皮膚と接触していることがある電極は、データの収集を開始するために電気的に結合され得る。
【００４８】
[0058]添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を与えるために、具体的な詳細を含む。ただし、これらの技法は、これらの具体的な詳細なしに実施され得る。場合によっては、説明した実施形態の概念を不明瞭にしないように、よく知られている構造およびデバイスがブロック図の形態で示される。
【００４９】
[0059]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００５０】
[0060]本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００５１】
[0061]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【００５２】
[0062]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【００５３】
[0063]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
【図１】
2015165905.tif 000003
【図２】
2015165905.tif 000004
【図３】
2015165905.tif 000005
【図４】
2015165905.tif 000006
【図５】
2015165905.tif 000007
【図６】
2015165905.tif 000008
【図７】
2015165905.tif 000009
【図８】
2015165905.tif 000010
【図９】
2015165905.tif 000011
【図１０】
2015165905.tif 000012
【図１１】
2015165905.tif 000013
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
動的に構成可能な生体電位電極アレイを使用して生理的データを収集するための方法であって、
前記生体電位電極アレイの少なくとも２つの電極タイルとユーザの皮膚との間の接触を検出することと、前記少なくとも２つの電極タイルは、境界を共有し、
前記検出された接触に少なくとも一部基づいて、前記生体電位電極アレイ内に、単一の電極として機能する第１の活性電極エリアを形成するために、前記少なくとも２つの電極タイルを活性化することと、
前記第１の活性電極エリアを介して前記ユーザに関連する生理的データを収集することとを備える方法。
【請求項２】
前記少なくとも２つの電極タイルと前記ユーザの前記皮膚との間の前記接触が、前記第１の活性電極エリアをポーリングすることに少なくとも一部基づいて、維持されているかどうかを判断することをさらに備える、請求項１に記載の方法。
【請求項３】
前記少なくとも２つの電極タイルを活性化することは、前記少なくとも２つの電極タイルを電気的に結合することを備える、請求項１に記載の方法。
【請求項４】
前記複数の電極と、前記ユーザの前記皮膚との間の前記接触が、終了されることを判断することと、
前記終了された接触に基づいて、前記少なくとも２つの電極タイルを不活性化することをさらに備える、請求項２に記載の方法。
【請求項５】
前記少なくとも２つの電極タイルを不活性化することは、前記少なくとも２つの電極タイルを分離することを備える、請求項２に記載の方法。
【請求項６】
前記ユーザの前記皮膚と前記生体電位電極アレイの複数の分離された電極タイルとの間の接触を、前記生理的データの前記収集の間、前記分離された電極タイルをポーリングすることに少なくとも一部基づいて、検出することをさらに備える、請求項２に記載の方法。
【請求項７】
前記ユーザの前記皮膚と前記複数の分離された電極タイルとの間の前記検出された接触に少なくとも一部基づいて、前記生体電位電極アレイ内に単一の電極として機能する第２の活性電極エリアを形成するために、前記複数の分離された電極タイルを活性化することと、
前記第２の活性電極エリアを介し前記ユーザに関連する生理的データを収集することとをさらに備える、請求項５に記載の方法。
【請求項８】
複数の活性電極エリアの各々について信号品質メトリックを比較することと、前記複数の活性電極エリアは、前記第１の活性電極エリアを備え、
前記比較に少なくとも一部基づいて、前記複数から活性電極エリアを選択することとをさらに備える、請求項５に記載の方法。
【請求項９】
前記複数の活性電極エリアは、前記生理的データを収集するために必要とされる活性電極エリアの最小数を超える、請求項７に記載の方法。
【請求項１０】
生体電位電極アレイがモバイルデバイスのエリアの表面に埋め込まれた、請求項１に記載の方法。
【請求項１１】
動的に構成可能な生体電位電極アレイを使用して生理的データを収集するための通信デバイスであって、
複数の電極を備える前記生体電位アレイと、
前記生体電位電極アレイの少なくとも２つの電極タイルとユーザの皮膚との間の接触を検出するための検出モジュールと、前記少なくとも２つの電極タイルは、境界を共有し、
前記検出された接触に少なくとも一部基づいて、前記生体電位電極アレイ内に、単一の電極として機能する第１の活性電極エリアを形成するために、前記少なくとも２つの電極タイルを活性化するための結合モジュールと、
前記第１の活性電極エリアを介して前記ユーザに関連する生理的データを収集するための収集モジュールとを備える通信デバイス。
【請求項１２】
前記検出モジュールは、前記少なくとも２つの電極タイルと前記ユーザの前記皮膚との間の前記接触が前記第１の活性電極エリアをポーリングすることに少なくとも一部基づいて、維持されているかどうかを判断するようにさらに構成された、請求項１１に記載の通信デバイス。
【請求項１３】
前記少なくとも２つの電極タイルを活性化することは、前記少なくとも２つの電極タイルを電気的に結合することを備える、請求項１１に記載の通信デバイス。
【請求項１４】
前記検出モジュールは、前記ユーザの前記皮膚と前記複数の電極との間の前記接触が終了されることを判断するようにさらに構成され、
前記結合モジュールは、前記終了された接触に基づいて、前記少なくとも２つの電極タイルを不活性化するようにさらに構成された、請求項１２に記載の通信デバイス。
【請求項１５】
前記少なくとも２つの電極タイルを不活性化することは、前記少なくとも２つの電極タイルを分離することを備える、請求項１２に記載の通信デバイス。
【請求項１６】
前記検出モジュールが、前記生理的データの前記収集の間、前記分離された電極タイルをポーリングすることに少なくとも一部基づいて、前記生体電位電極アレイの複数の分離された電極タイルと、前記ユーザの前記皮膚との間の接触を検出するようにさらに構成された、請求項１２に記載の通信デバイス。
【請求項１７】
前記結合モジュールが、前記ユーザの前記皮膚と前記複数の分離された電極タイルとの間の前記検出された接触に少なくとも一部基づいて、前記生体電位電極アレイ内に単一の電極として機能する第２の活性電極エリアを形成するために、前記複数の分離された電極タイルを活性化するようにさらに構成され、
前記収集モジュールが、前記第２の活性電極エリアを介して前記ユーザに関連する生理的データを収集するようにさらに構成された、請求項１５に記載の通信デバイス。
【請求項１８】
比較モジュールと選択モジュールとをさらに備え、
前記比較モジュールが、前記複数の活性電極エリアの各々について信号品質メトリックを比較するように構成され、前記複数の活性電極エリアが、前記第１の活性電極エリアを備え、
前記選択モジュールが、前記比較に少なくとも一部基づいて前記複数から活性電極エリアを選択するように構成された、請求項１５に記載の通信デバイス。
【請求項１９】
前記複数の活性電極エリアは、前記生理的データを収集するために必要とされる活性電極エリアの最小数を超える、請求項１７に記載の通信デバイス。
【請求項２０】
生体電位電極アレイが前記通信デバイスのエリアの表面に埋め込まれた、請求項１１に記載の通信デバイス。
【請求項２１】
動的に構成可能な生体電位電極アレイを使用して生理的データを収集するように構成されたシステムであって、
前記生体電位電極アレイの少なくとも２つの電極タイルとユーザの皮膚との間の接触を検出するための手段と、前記少なくとも２つの電極タイルは、境界を共有し、
前記検出された接触に少なくとも一部基づいて、前記生体電位電極アレイ内に単一の電極として機能する第１の活性電極エリアを形成するために、前記少なくとも２つの電極タイルを活性化するための手段と、
前記第１の活性電極エリアを介して前記ユーザに関連する生理的データを収集するための手段とを備えるシステム。
【請求項２２】
前記ユーザの前記皮膚と前記少なくとも２つの電極タイルとの間の前記接触が、前記第１の活性電極エリアをポーリングすることに少なくとも一部基づいて、維持されるかどうかを判断するための手段をさらに備える、請求項２１に記載のシステム。
【請求項２３】
前記少なくとも２つの電極タイルを活性化することは、前記少なくとも２つの電極タイルを電気的に結合することを備える、請求項２１に記載のシステム。
【請求項２４】
前記ユーザの前記皮膚と前記複数の電極との間の前記接触が終了されることを判断するための手段と、
前記終了された接触に基づいて、前記少なくとも２つの電極タイルを不活性化するための手段とをさらに備える、請求項２２に記載のシステム。
【請求項２５】
前記少なくとも２つの電極タイルを不活性化することは、前記少なくとも２つの電極タイルを分離することを備える、請求項２２に記載のシステム。
【請求項２６】
前記生理的データの前記収集の間、前記分離された電極タイルをポーリングすることに少なくとも一部基づいて、前記ユーザの前記皮膚と前記生体電位電極アレイの複数の分離された電極タイルとの間の接触を検出するための手段をさらに備える、請求項２２に記載のシステム。
【請求項２７】
前記ユーザの前記皮膚と前記複数の分離された電極タイルとの間の前記検出された接触に少なくとも一部基づいて、前記生体電位電極アレイ内に単一の電極として機能する第２の活性電極エリアを形成するために、前記複数の分離された電極タイルを活性化するための手段と、
前記第２の活性電極エリアを介して前記ユーザに関連する生理的データを収集するための手段とをさらに備える、請求項２５に記載のシステム。
【請求項２８】
複数の活性電極エリアの各々について信号品質メトリックを比較するための手段と、前記複数の活性電極エリアは、前記第１の活性電極エリアを備え、
前記比較に少なくとも一部基づいて前記複数から活性電極エリアを選択するための手段とをさらに備える、請求項２５に記載のシステム。
【請求項２９】
前記複数の活性電極エリアは、前記生理的データを収集するために必要とされる活性電極エリアの最小数を超える、請求項２７に記載のシステム。
【請求項３０】
生体電位電極アレイは、モバイルデバイスのエリアの表面に埋め込まれた、請求項２１に記載のシステム。
【請求項３１】
動的に構成可能な生体電位電極アレイを使用して生理的データを収集するための非一時的コンピュータ読取可能な媒体であって、
前記生体電位電極アレイの少なくとも２つの電極タイルとユーザの皮膚との間の接触を検出するためのコードと、前記少なくとも２つの電極タイルは、境界を共有し、
前記検出された接触に少なくとも一部基づいて、前記生体電位電極アレイ内に単一の電極として機能する第１の活性電極エリアを形成するために、前記少なくとも２つの電極タイルを活性化するためのコードと、
前記第１の活性電極エリアを介して前記ユーザに関連する生理的データを収集することを備える、非一時的コンピュータ読取可能な媒体。
【請求項３２】
前記少なくとも２つの電極タイルと前記ユーザの前記皮膚との間の前記接触が、前記第１の活性電極エリアをポーリングすることに少なくとも一部基づいて、維持されているかどうかを判断するためのコードをさらに備える、請求項３１に記載の方法。
【請求項３３】
前記少なくとも２つの電極タイルは、前記少なくとも２つの電極タイルを電気的に結合することを備える、請求項３１に記載の方法。
【請求項３４】
前記ユーザの前記皮膚と前記複数の電極との間の前記接触が終了することを判断するためのコードと、
前記終了された接触に基づいて、前記少なくとも２つの電極タイルを不活性化するためのコードとをさらに備える、請求項３２に記載の方法。
【請求項３５】
前記少なくとも２つの電極タイルを不活性化することは、前記少なくとも２つの電極タイルを分離することを備える、請求項３２に記載の方法。
【請求項３６】
前記生理的データの前記収集の間、前記分離された電極タイルをポーリングすることに少なくとも一部基づいて、前記ユーザの前記皮膚と前記生体電位電極アレイの複数の分離された電極タイルとの間の接触を検出するためのコードをさらに備える、請求項３２に記載の方法。
【請求項３７】
前記ユーザの前記皮膚と前記複数の分離された電極タイルとの間の前記検出された接触に少なくとも一部基づいて、前記生体電位電極アレイ内に、単一の電極として機能する第２の活性電極エリアを形成するために、前記複数の分離された電極タイルを活性化するためのコードと、
前記第２の活性電極エリアを介して前記ユーザに関連する生理的データを収集するためのコードとをさらに備える、請求項３５に記載の方法。
【請求項３８】
複数の活性電極エリアの各々について信号品質メトリックを比較するためのコードと、前記複数の活性電極エリアは、前記第１の活性電極エリアを備え、
前記信号品質メトリックの比較に少なくとも一部基づいて、前記複数から活性電極エリアを選択するためのコードとをさらに備える、請求項３５に記載の方法。
【請求項３９】
前記複数の活性電極エリアは、前記生理的データを収集するために必要とされる活性電極エリアの最小数を超える、請求項３７に記載の方法。
【請求項４０】
生体電位電極アレイは、モバイルデバイスのエリアの表面に埋め込まれている、請求項３１に記載の方法。
【手続補正２】
【補正対象書類名】明細書
【補正対象項目名】００５３
【補正方法】変更
【補正の内容】
【００５３】
[0063]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、出願当初の特許請求の範囲に記載された発明を付記する。
［Ｃ１］
動的に構成可能な生体電位電極アレイを使用して生理的データを収集するための方法であって、
前記生体電位電極アレイの少なくとも２つの隣接する電極タイルとユーザの皮膚との間の接触を検出することと、
前記生体電位電極アレイ内に第１の活性電極エリアを形成するために、接触を検出したことに基づいて、前記少なくとも２つの隣接する電極タイルを電気的に結合することと、
前記第１の活性電極エリアの前記結合された電極タイルを介して前記ユーザに関連する生理的データを収集することとを備える方法。
［Ｃ２］
前記少なくとも２つの隣接する電極タイルと前記ユーザの前記皮膚との間の前記接触が維持されているかどうかを検出するために、前記第１の活性電極エリア内で前記少なくとも２つの電気的に結合された電極タイルをポーリングすることをさらに備える、Ｃ１に記載の方法。
［Ｃ３］
前記ユーザの前記皮膚と前記少なくとも２つの隣接する電極タイルとの間の接触が終了した後に、前記少なくとも２つの隣接する電極タイルを分離することをさらに備える、Ｃ２に記載の方法。
［Ｃ４］
前記生体電位電極アレイの複数の結合されない電極タイルのうちの結合されない電極タイルと、前記ユーザの前記皮膚との間の接触を検出するために、前記複数の結合されない電極タイルをポーリングすることをさらに備える、Ｃ１に記載の方法。
［Ｃ５］
前記生体電位電極アレイ内に第２の活性電極エリアを形成するために、接触を検出したことに基づいて、少なくとも２つの隣接する電極タイルを電気的に結合することと、
前記第２の活性電極エリアの前記結合された電極タイルを介して前記ユーザに関連する生理的データを収集することとをさらに備える、Ｃ４に記載の方法。
［Ｃ６］
前記第１の活性電極エリアと前記第２の活性電極エリアとが前記生体電位電極アレイ内に非現在的に存在する、Ｃ５に記載の方法。
［Ｃ７］
前記生体電位電極アレイ内に最小数の活性電極エリアが存在するかどうかを判断することと、
前記最小数の活性電極エリアが存在するという前記判断に基づいて前記ユーザに関連する生理的データを収集することとをさらに備える、Ｃ１に記載の方法。
［Ｃ８］
前記生体電位電極アレイ内で複数の活性電極エリアを検出することと、
前記複数の活性電極エリアの各々に関連する信号品質を比較することと、
信号品質の前記比較に基づいて生理的データを収集するために前記複数の活性電極エリアのうちの少なくとも１つを選択することとをさらに備える、Ｃ１に記載の方法。
［Ｃ９］
前記少なくとも２つの電極タイルが、前記生理的データを収集するための１つまたは複数のバイオセンサーを備える、Ｃ１に記載の方法。
［Ｃ１０］
前記１つまたは複数のバイオセンサーが心電図（ＥＣＧ）センサーまたは電気皮膚反応（ＧＳＲ）センサーを備える、Ｃ９に記載の方法。
［Ｃ１１］
前記ユーザに関連する前記収集された生理的データを分析することと、
前記収集された生理的データの前記分析に基づいて前記ユーザの状態を判断することとをさらに備える、Ｃ１に記載の方法。
［Ｃ１２］
前記生体電位電極アレイがハンドヘルド電子デバイスの表面エリア上に埋め込まれた、Ｃ１に記載の方法。
［Ｃ１３］
動的に構成可能な生体電位電極アレイを使用して生理的データを収集するように構成された通信デバイスであって、
前記生体電位電極アレイと、
前記生体電位アレイの少なくとも２つの隣接する電極タイルとユーザの皮膚との間の接触を検出するように構成された検出モジュールと、
前記生体電位電極エリア内に第１の活性電極エリアを形成するために、接触を検出したことに基づいて、前記少なくとも２つの隣接する電極タイルを電気的に結合するように構成された結合モジュールと、
前記第１の活性電極エリアの前記結合された電極タイルを介して前記ユーザに関連する生理的データを収集するように構成された収集モジュールとを備える通信デバイス。
［Ｃ１４］
前記少なくとも２つの隣接する電極タイルと前記ユーザの前記皮膚との間の前記接触が維持されているかどうかを検出するために、前記第１の活性電極エリア内で前記少なくとも２つの電気的に結合された電極タイルをポーリングするように構成されたポーリングモジュールをさらに備える、Ｃ１３に記載の通信デバイス。
［Ｃ１５］
前記結合モジュールは、前記ユーザの前記皮膚と前記少なくとも２つの隣接する電極タイルとの間の接触が終了した後に、前記少なくとも２つの隣接する電極タイルを分離するようにさらに構成された、Ｃ１４に記載の通信デバイス。
［Ｃ１６］
前記ポーリングモジュールが、前記生体電位電極アレイの複数の結合されない電極タイルのうちの結合されない電極タイルと、前記ユーザの前記皮膚との間の接触を検出するために、前記複数の結合されない電極タイルをポーリングするようにさらに構成された、Ｃ１３に記載の通信デバイス。
［Ｃ１７］
前記結合モジュールが、前記生体電位電極アレイ内に第２の活性電極エリアを形成するために、接触を検出したことに基づいて、少なくとも２つの隣接する電極タイルを電気的に結合するようにさらに構成され、
前記収集モジュールが、前記第２の活性電極エリアの前記結合された電極タイルを介して前記ユーザに関連する生理的データを収集するようにさらに構成された、Ｃ１６に記載の通信デバイス。
［Ｃ１８］
前記第１の活性電極エリアと前記第２の活性電極エリアとが前記生体電位電極アレイ内に非現在的に存在する、Ｃ１７に記載の通信デバイス。
［Ｃ１９］
前記収集モジュールは、前記生体電位電極アレイ内に最小数の活性電極エリアが存在するかどうかを判断するようにさらに構成され、
前記収集モジュールは、前記最小数の活性電極エリアが存在するという前記判断に基づいて前記ユーザに関連する生理的データを収集するようにさらに構成された、Ｃ１３に記載の通信デバイス。
［Ｃ２０］
比較モジュールと選択モジュールとをさらに備え、
前記検出モジュールが、前記生体電位電極アレイ内で複数の活性電極エリアを検出するようにさらに構成され、
前記比較モジュールが、前記複数の活性電極エリアの各々に関連する信号品質を比較するように構成され、
前記選択モジュールが、信号品質の前記比較に基づいて生理的データを収集するために前記複数の活性電極エリアのうちの少なくとも１つを選択するように構成された、Ｃ１３に記載の通信デバイス。
［Ｃ２１］
前記少なくとも２つの電極タイルが、前記生理的データを収集するための１つまたは複数のバイオセンサーを備える、Ｃ１３に記載の通信デバイス。
［Ｃ２２］
前記１つまたは複数のバイオセンサーが心電図（ＥＣＧ）センサーまたは電気皮膚反応（ＧＳＲ）センサーを備える、Ｃ２１に記載の通信デバイス。
［Ｃ２３］
分析モジュールと状態モジュールとをさらに備え、
前記分析モジュールが、前記ユーザに関連する前記収集された生理的データを分析するように構成され、
前記状態モジュールが、前記収集された生理的データの前記分析に基づいて前記ユーザの状態を判断するように構成された、Ｃ１３に記載の通信デバイス。
［Ｃ２４］
前記生体電位電極アレイが前記通信デバイスの表面エリア上に埋め込まれた、Ｃ１３に記載の通信デバイス。
［Ｃ２５］
動的に構成可能な生体電位電極アレイを使用して生理的データを収集するように構成されたシステムであって、
前記生体電位電極アレイの少なくとも２つの隣接する電極タイルとユーザの皮膚との間の接触を検出するための手段と、
前記生体電位電極アレイ内に第１の活性電極エリアを形成するために、接触を検出したことに基づいて、前記少なくとも２つの隣接する電極タイルを電気的に結合するための手段と、
前記第１の活性電極エリアの前記結合された電極タイルを介して前記ユーザに関連する生理的データを収集するための手段とを備えるシステム。
［Ｃ２６］
前記少なくとも２つの隣接する電極タイルと前記ユーザの前記皮膚との間の前記接触が維持されているかどうかを検出するために、前記第１の活性電極エリア内で前記少なくとも２つの電気的に結合された電極タイルをポーリングするための手段をさらに備える、Ｃ２５に記載のシステム。
［Ｃ２７］
前記ユーザの前記皮膚と前記少なくとも２つの隣接する電極タイルとの間の接触が終了した後に、前記少なくとも２つの隣接する電極タイルを分離するための手段をさらに備える、Ｃ２６に記載のシステム。
［Ｃ２８］
前記生体電位電極アレイの複数の結合されない電極タイルのうちの結合されない電極タイルと、前記ユーザの前記皮膚との間の接触を検出するために、前記複数の結合されない電極タイルをポーリングするための手段をさらに備える、Ｃ２５に記載のシステム。
［Ｃ２９］
前記生体電位電極アレイ内に第２の活性電極エリアを形成するために、接触を検出したことに基づいて、少なくとも２つの隣接する電極タイルを電気的に結合するための手段と、
前記第２の活性電極エリアの前記結合された電極タイルを介して前記ユーザに関連する生理的データを収集するための手段とをさらに備える、Ｃ２８に記載のシステム。
［Ｃ３０］
前記第１の活性電極エリアと前記第２の活性電極エリアとが前記生体電位電極アレイ内に非現在的に存在する、Ｃ２９に記載のシステム。
［Ｃ３１］
前記生体電位電極アレイ内に最小数の活性電極エリアが存在するかどうかを判断するための手段と、
前記最小数の活性電極エリアが存在するという前記判断に基づいて前記ユーザに関連する生理的データを収集するための手段とをさらに備える、Ｃ２５に記載のシステム。
［Ｃ３２］
前記生体電位電極アレイ内で複数の活性電極エリアを検出するための手段と、
前記複数の活性電極エリアの各々に関連する信号品質を比較するための手段と、
信号品質の前記比較に基づいて生理的データを収集するために前記複数の活性電極エリアのうちの少なくとも１つを選択するための手段とをさらに備える、Ｃ２５に記載のシステム。
［Ｃ３３］
前記少なくとも２つの電極タイルが、前記生理的データを収集するための１つまたは複数のバイオセンサーを備える、Ｃ２５に記載のシステム。
［Ｃ３４］
前記１つまたは複数のバイオセンサーが心電図（ＥＣＧ）センサーまたは電気皮膚反応（ＧＳＲ）センサーを備える、Ｃ３３に記載のシステム。
［Ｃ３５］
前記ユーザに関連する前記収集された生理的データを分析するための手段と、
前記収集された生理的データの前記分析に基づいて前記ユーザの状態を判断するための手段とをさらに備える、Ｃ２５に記載のシステム。
［Ｃ３６］
動的に構成可能な生体電位電極アレイを使用して生理的データを収集するように構成されたコンピュータプログラム製品であって、前記製品が非一時的コンピュータ可読媒体を備え、前記媒体が、
前記生体電位電極アレイの少なくとも２つの隣接する電極タイルとユーザの皮膚との間の接触を検出するためのコードと、
前記生体電位電極アレイ内に第１の活性電極エリアを形成するために、接触を検出したことに基づいて、前記少なくとも２つの隣接する電極タイルを電気的に結合するためのコードと、
前記第１の活性電極エリアの前記結合された電極タイルを介して前記ユーザに関連する生理的データを収集するためのコードとを備える、コンピュータプログラム製品。
［Ｃ３７］
前記媒体は、
前記少なくとも２つの隣接する電極タイルと前記ユーザの前記皮膚との間の前記接触が維持されているかどうかを検出するために、前記第１の活性電極エリア内で前記少なくとも２つの電気的に結合された電極タイルをポーリングするためのコードをさらに備える、Ｃ３６に記載のコンピュータプログラム製品。
［Ｃ３８］
前記ユーザの前記皮膚と前記少なくとも２つの隣接する電極タイルとの間の接触が終了した後に、前記少なくとも２つの隣接する電極タイルを分離するためのコードをさらに備える、Ｃ３７に記載のコンピュータプログラム製品。
【外国語明細書】
2015165905000001.pdf